(57)【要約】【課題】簡易な作業によって昇降路ピット部材を容易に所定位置に据付けることができるエレベーター昇降路ピット部材の据付工法を得る。【解決手段】基準位置に吊下した下げ振り線５に対してかご側緩衝器台３を所定位置に設置し、設置したかご側緩衝器台３に対して機械台６を所定位置に設置する。そして、設置したかご側緩衝器台３及び機械台６に対して、つり合おもり側緩衝器台７を、第一連結金具１２及び第二連結金具１３を介して昇降路底面２の所定位置に設置する。このため、かご側緩衝器台３及びつり合おもり側緩衝器台７の両者それぞれに下げ振り線５を吊下する作業を省き、簡易な作業によって昇降路底面２に機械台６等のピット部材を容易に所定位置に据付けできて据付費を低減する。【選択図】　　　　図２
2004010328.tif 000002
【特許請求の範囲】
【請求項１】
エレベーター昇降路の底面に設けられるかご側緩衝器台を、上記昇降路の上方から基準位置に吊下された下げ振り線に対して、上記昇降路底面の所定位置に設置する第一工程と、上記昇降路底面に設けられて長手が上記かご側緩衝器台の長手に交差して配置される機械台の長手の一端を、上記かご側緩衝器台の長手の一端に接続して上記機械台を上記かご側緩衝器台に対して上記昇降路底面の所定位置に設置する第二工程と、上記昇降路底面に設けられ長手が上記機械台の長手に交差して配置されるつり合おもり側緩衝器台の長手の一端を上記機械台の長手の他端に接続し、かつ一端部が上記かご側緩衝器台の長手の他端に連結された第一連結金具の他端部を上記つり合おもり側緩衝器台の長手の他端に連結すると共に、一端部が上記かご側緩衝器台及び機械台の接続部に連結された第二連結金具の他端部を上記つり合おもり側緩衝器台の長手の他端に連結して、上記かご側緩衝器台及び機械台に対して上記つり合おもり側緩衝器台を上記昇降路底面の所定位置に設置する第三工程とからなるエレベーター昇降路ピット部材の据付工法。
【請求項２】
一側が機械台、かご側緩衝器台及びつり合おもり側緩衝器台の何れかに装着され、水平方向に互いに離れて配置されて第一連結金具及び第二連結金具のいずれかの端部が係合される複数の係合部が設けられた連結板を介して第三工程の設置作業を行うことを特徴とする請求項１記載のエレベーター昇降路ピット部材の据付工法。
【請求項３】
エレベーター昇降路の底面に設けられるかご側緩衝器台を、上記昇降路の上方から基準位置に吊下された下げ振り線に対して、上記昇降路底面の所定位置に設置する第一工程と、上記昇降路底面に設けられて長手が上記かご側緩衝器台の長手に交差して配置される機械台の長手の一端を、上記かご側緩衝器台の長手の一端に接続して上記機械台を上記かご側緩衝器台に対して上記昇降路底面の所定位置に設置する第二工程と、上記昇降路底面に設けられ長手が上記機械台の長手に交差して配置されるつり合おもり側緩衝器台の長手の一端を上記機械台の長手の他端に接続し、基板及びこの基板から突設された間隔片からなり、上記かご側緩衝器台及びつり合おもり側緩衝器台の両者の反上記機械台側の端部にあてがわれて、上記両者の相互間隔を上記間隔片の幅寸法に規制し、上記間隔片の側面によって上記両者の側面の鉛直性を規制するゲージを介して上記かご側緩衝器台及び機械台に対して上記つり合おもり側緩衝器台を上記昇降路底面の所定位置に設置する第三工程とからなるエレベーター昇降路ピット部材の据付工法。
【発明の詳細な説明】
【０００１】
【発明の属する技術分野】
この発明は、かご側緩衝器台等のピット部材を昇降路底面の所定位置に設置するエレベーター昇降路ピット部材の据付工法に関する。
【０００２】
【従来の技術】
エレベーターの構造形式の一つとして昇降路のピットに各種部材が設置される形態がある。すなわち、かご案内レールの下端が連結されるかご側緩衝器台、巻上機が設置される機械台及びつり合おもり案内レールの下端が連結されるつり合おもり側緩衝器台がピットの底面の所定位置に設置される。
【０００３】
これらのピット部材は従来、昇降路の上方から基準位置に吊下された下げ振り線に対してかご側緩衝器台を所定位置に設置する作業が行われ、また昇降路の上方から他の基準位置に吊下された他の下げ振り線に対してつり合おもり側緩衝器台を所定位置に設置する作業が行われていた。
【０００４】
【発明が解決しようとする課題】
従来のエレベーター昇降路ピット部材の据付工法において上記のような設置作業が行われる。このため、かご側緩衝器台及びつり合おもり側緩衝器台の両者それぞれに対して、昇降路の上方から上記両者のそれぞれの基準位置に下げ振り線を吊下する作業が必要となる。したがって、昇降路ピット部材の据付に煩雑な手数が掛かって据付費が嵩むという問題点があった。
【０００５】
この発明は、かかる問題点を解消するためになされたものであり、簡易な作業によって昇降路ピット部材を容易に所定位置に据付けることができるエレベーター昇降路ピット部材の据付工法を得ることを目的とする。
【０００６】
【課題を解決するための手段】
この発明に係るエレベーター昇降路ピット部材の据付工法においては、エレベーター昇降路の底面に設けられるかご側緩衝器台を、昇降路の上方から基準位置に吊下された下げ振り線に対して、昇降路底面の所定位置に設置する第一工程と、昇降路底面に設けられて長手がかご側緩衝器台の長手に交差して配置される機械台の長手の一端を、かご側緩衝器台の長手の一端に接続して機械台をかご側緩衝器台に対して昇降路底面の所定位置に設置する第二工程と、昇降路底面に設けられ長手が機械台の長手に交差して配置されるつり合おもり側緩衝器台の長手の一端を機械台の長手の他端に接続し、かつ一端部がかご側緩衝器台の長手の他端に連結された第一連結金具の他端部をつり合おもり側緩衝器台の長手の他端に連結すると共に、一端部がかご側緩衝器台及び機械台の接続部に連結された第二連結金具の他端部をつり合おもり側緩衝器台の長手の他端に連結して、かご側緩衝器台及び機械台に対してつり合おもり側緩衝器台を昇降路底面の所定位置に設置する第三工程との作業が行われる。
【０００７】
また、この発明に係るエレベーター昇降路ピット部材の据付工法においては、一側が機械台、かご側緩衝器台及びつり合おもり側緩衝器台の何れかに装着され、水平方向に互いに離れて配置されて第一連結金具及び第二連結金具のいずれかの端部が係合される複数の係合部が設けられた連結板を介して第三工程の設置作業が行われる。
【０００８】
また、この発明に係るエレベーター昇降路ピット部材の据付工法においては、エレベーター昇降路の底面に設けられるかご側緩衝器台を、昇降路の上方から基準位置に吊下された下げ振り線に対して、昇降路底面の所定位置に設置する第一工程と、昇降路底面に設けられて長手がかご側緩衝器台の長手に交差して配置される機械台の長手の一端を、かご側緩衝器台の長手の一端に接続して機械台をかご側緩衝器台に対して昇降路底面の所定位置に設置する第二工程と、昇降路底面に設けられ長手が機械台の長手に交差して配置されるつり合おもり側緩衝器台の長手の一端を機械台の長手の他端に接続し、基板及びこの基板から突設された間隔片からなり、かご側緩衝器台及びつり合おもり側緩衝器台の両者の反機械台側の端部にあてがわれて、上記両者の相互間隔を間隔片の幅寸法に規制し、間隔片の側面によって上記両者の側面の鉛直性を規制するゲージを介してかご側緩衝器台及び機械台に対してつり合おもり側緩衝器台を昇降路底面の所定位置に設置する第三工程との作業が行われる。
【０００９】
【発明の実施の形態】
実施の形態１．
図１及び図２は、この発明の実施の形態の一例を示す図で、図１は昇降路下部を概念的に示す斜視図、図２は図１の拡大平面図である。図において、１はエレベーターの昇降路、２は昇降路１のピットを形成する底面、３は底面２に設けられたかご側緩衝器台で、長手の両端部にエレベーターのかご（図示しない）の昇降を案内するかご案内レール４の下端が連結されている。
【００１０】
５は昇降路１の上方からかご案内レール４に沿って張設されて基準位置に吊下された下げ振り線、６はエレベーターの巻上機（図示しない）が据付けられる機械台で、底面２に設けられてかご側緩衝器台３に交差して配置され長手の一端が対向したかご側緩衝器台３の端部に接続されている。７は底面２に設けられたつり合おもり側緩衝器台で、長手の両端部にエレベーターのつり合おもり（図示しない）の昇降を案内するつり合おもり案内レール８の下端が連結されている。
【００１１】
９は据付板で、かご側緩衝器台３及びつり合おもり側緩衝器台７の長手端部における下面にそれぞれ固定されている。１０は連結板で、かご側緩衝器台３及びつり合おもり側緩衝器台７の上面寄りに固定され、かご側緩衝器台３及びつり合おもり側緩衝器台７の両者の反機械台６側の端部並びに上記両者と機械台６との接続部にそれぞれ設けられている。１１は連結孔からなる係合部で、連結板１０に設けられて二〜三個、すなわち複数個が水平方向に互いに離れて配置されている。
【００１２】
１２は第一連結金具で、鉤状をなし係合部１１に嵌合する屈折部が両端にそれぞれ設けられ、一端部はかご側緩衝器台３の反機械台６側の端部に設けられた連結板１０の係合部１１に嵌合され、他端部はかご側緩衝器台３の反機械台６側の接続部に設けられた連結板１０の係合部１１に嵌合されている。１３は第一連結金具１２と同様な第二連結金具で、一端部はつり合おもり側緩衝器台７の反機械台６側の端部に設けられた連結板１０の係合部１１に嵌合され、他端部はつり合おもり側緩衝器台７と機械台６の接続部に設けられた連結板１０の係合部１１に嵌合されている。
【００１３】
上記のように昇降路１ピットに配置される部材が次に述べるような作業によって据付けられる。すなわち、第一工程により昇降路１の上方から下げ振り線５が基準位置に吊下され、この下げ振り線５を据付板９の標識に一致させることによってかご側緩衝器台３が据付板９を介して昇降路１底面２の所定位置に設置される。
【００１４】
次いで、第二工程により設置されたかご側緩衝器台３の長手に交差して機械台６の長手が配置されて、機械台６の長手の一端を、かご側緩衝器台３の長手の一端に接続して機械台６がかご側緩衝器台３に対して昇降路１底面２の所定位置に設置される。そして、第三工程によりかご側緩衝器台３及び機械台６に対してつり合おもり側緩衝器台７が昇降路１底面２の所定位置に設置される。
【００１５】
すなわち、設置された機械台６の長手に交差してつり合おもり側緩衝器台７の長手が配置されて、つり合おもり側緩衝器台７の長手の一端が機械台６の長手の他端に接続される。また、第一連結金具１２によって連結板１０の係合部１１を介して、かご側緩衝器台３の反機械台６側の端部とつり合おもり側緩衝器台７の反機械台６側の端部が連結され、また第二連結金具１３によって連結板１０の係合部１１を介して、つり合おもり側緩衝器台７の反機械台６側の端部と、かご側緩衝器台３と機械台６の接続部とが連結され、つり合おもり側緩衝器台７が昇降路１底面２の所定位置に設置される。
【００１６】
以上説明したように、昇降路１の上方から基準位置に吊下された下げ振り線５に対してかご側緩衝器台３が所定位置に設置され、設置されたかご側緩衝器台３に対して機械台６が所定位置に設置される。そして、設置されたかご側緩衝器台３及び機械台６に対してつり合おもり側緩衝器台７が、第一連結金具１２及び第二連結金具１３を介して所定位置に設置される。
【００１７】
これによって、かご側緩衝器台３及びつり合おもり側緩衝器台７の両者それぞれに対して、昇降路１の上方から上記両者のそれぞれの基準位置に下げ振り線５を吊下する作業を省くことができる。したがって、簡易な作業によって昇降路１底面２にかご側緩衝器台３等のピット部材を容易に所定位置に据付けることができ、据付費を低減することができる。
【００１８】
また、連結板１０が設けられて複数の係合部１１のいずれかに第一連結金具１２等の端部が係合される。このため、異なる仕様のエレベーターにおけるかご側緩衝器台３等のピット部材のサイズ、設置位置の相違に対して標準化された第一連結金具１２等を使用して、複数の係合部１１のいずれかを選択することによって容易に対応することができる。そして、第一連結金具１２等を標準化することによって製作費を節減することができる。
【００１９】
実施の形態２．
図３〜図５は、この発明の他の実施の形態の一例を示す図で、図３は昇降路下部の平面図であり前述の図２相当図、図４は図３のＡ−Ａ線断面拡大図、図５は図４におけるゲージの細部を説明する図である。なお、図３〜図５の他は前述の図１及び図２と同様に昇降路ピットが形成されている。図において、図１及び図２と同符号は相当部分を示す。
【００２０】
１４はゲージで、かご側緩衝器台３及びつり合おもり側緩衝器台７の両者の上面に載置される基板１５、基板１５の上面に設けられた水準器１６及び基板１５の下面から突設されて上記両者の相互間隔を所定間隔に規制する寸法、すなわち幅寸法が図５に示す寸法Ｂに形成された間隔片１７によって構成されている。なお、基板１５の下面と間隔片１７の上記両者の側面に対向する面との間に形成される角度は９０°に設定されている。
【００２１】
そして、昇降路１ピットに配置される部材が前述の図１及び図２の実施の形態と同様に据付けられる。すなわち、昇降路１の上方から基準位置に吊下された下げ振り線５に対してかご側緩衝器台３を所定位置に設置する第一工程の作業が行われる。そして、設置されたかご側緩衝器台３に対して機械台６を所定位置に設置する第二工程の作業が行われる。次いで、第三工程として設置された機械台６の反かご側緩衝器台３の端部につり合おもり側緩衝器台７が連結される。
【００２２】
次いで、ゲージ１４が上記両者の上面に図４に示すようにあてがわれて、水準器１６によって水平度が規制され、上記両者の相互間隔が間隔片１７の幅寸法Ｂに規制され、また間隔片１７の側面によって上記両者の側面が鉛直になるように設定される。これによって、かご側緩衝器台３、機械台６及びつり合おもり側緩衝器台７が昇降路１底面２の所定位置に設置される。したがって、詳細な説明を省略するが図４〜図５の実施の形態においても図１及び図２の実施の形態と同様な作用が得られる。
【００２３】
【発明の効果】
この発明は以上説明したように、エレベーター昇降路の底面に設けられるかご側緩衝器台を、昇降路の上方から基準位置に吊下された下げ振り線に対して、昇降路底面の所定位置に設置する第一工程と、昇降路底面に設けられて長手がかご側緩衝器台の長手に交差して配置される機械台の長手の一端を、かご側緩衝器台の長手の一端に接続して機械台をかご側緩衝器台に対して昇降路底面の所定位置に設置する第二工程と、昇降路底面に設けられ長手が機械台の長手に交差して配置されるつり合おもり側緩衝器台の長手の一端を機械台の長手の他端に接続し、かつ一端部がかご側緩衝器台の長手の他端に連結された第一連結金具の他端部をつり合おもり側緩衝器台の長手の他端に連結すると共に、一端部がかご側緩衝器台及び機械台の接続部に連結された第二連結金具の他端部をつり合おもり側緩衝器台の長手の他端に連結して、かご側緩衝器台及び機械台に対してつり合おもり側緩衝器台を昇降路底面の所定位置に設置する第三工程との作業を行うものである。
【００２４】
これによって、昇降路の上方から基準位置に吊下された下げ振り線に対してかご側緩衝器台が所定位置に設置され、設置されたかご側緩衝器台に対して機械台が所定位置に設置される。そして、設置されたかご側緩衝器台及び機械台に対してつり合おもり側緩衝器台が、第一連結金具及び第二連結金具を介して所定位置に設置される。このため、かご側緩衝器台及びつり合おもり側緩衝器台の両者それぞれに対して、昇降路の上方から上記両者のそれぞれの基準位置に下げ振り線を吊下する作業を省くことができる。したがって、簡易な作業によって昇降路底面にかご側緩衝器台等のピット部材を容易に所定位置に据付けることができ、据付費を低減する効果がある。
【００２５】
また、この発明は以上説明したように、一側が機械台、かご側緩衝器台及びつり合おもり側緩衝器台の何れかに装着され、水平方向に互いに離れて配置されて第一連結金具及び第二連結金具のいずれかの端部が係合される複数の係合部が設けられた連結板を介して第三工程の設置作業を行うものである。
【００２６】
これによって、昇降路の上方から基準位置に吊下された下げ振り線に対してかご側緩衝器台が所定位置に設置され、設置されたかご側緩衝器台に対して機械台が所定位置に設置される。そして、設置されたかご側緩衝器台及び機械台に対してつり合おもり側緩衝器台が、第一連結金具及び第二連結金具によって所定位置に設置される。このため、かご側緩衝器台及びつり合おもり側緩衝器台の両者それぞれに対して、昇降路の上方から上記両者のそれぞれの基準位置に下げ振り線を吊下する作業を省くことができる。したがって、簡易な作業によって昇降路底面にかご側緩衝器台等のピット部材を容易に所定位置に据付けることができ、据付費を低減する効果がある。
また、連結板が設けられて複数の係合部のいずれかに第一連結金具等の端部が係合される。このため、異なる仕様のエレベーターにおけるかご側緩衝器台等のピット部材のサイズ、設置位置の相違に対して標準化された第一連結金具等によって容易に対応することができ、製作費を節減する効果がある。
【００２７】
また、この発明は以上説明したように、エレベーター昇降路の底面に設けられるかご側緩衝器台を、昇降路の上方から基準位置に吊下された下げ振り線に対して、昇降路底面の所定位置に設置する第一工程と、昇降路底面に設けられて長手がかご側緩衝器台の長手に交差して配置される機械台の長手の一端を、かご側緩衝器台の長手の一端に接続して、機械台をかご側緩衝器台に対して昇降路底面の所定位置に設置する第二工程と、昇降路底面に設けられ長手が機械台の長手に交差して配置されるつり合おもり側緩衝器台の長手の一端を機械台の長手の他端に接続し、基板及びこの基板から突設された間隔片からなり、かご側緩衝器台及びつり合おもり側緩衝器台の両者の反機械台側の端部にあてがわれて、上記両者の相互間隔を間隔片の幅寸法に規制し、間隔片の側面によって上記両者の側面の鉛直性を規制するゲージを介してかご側緩衝器台及び機械台に対してつり合おもり側緩衝器台を昇降路底面の所定位置に設置する第三工程との作業を行うものである。
【００２８】
これによって、昇降路の上方から基準位置に吊下された下げ振り線に対してかご側緩衝器台が所定位置に設置され、設置されたかご側緩衝器台に対して機械台が所定位置に設置される。そして、設置されたかご側緩衝器台及び機械台に対してつり合おもり側緩衝器台が、ゲージを介して所定位置に設置される。このため、かご側緩衝器台及びつり合おもり側緩衝器台の両者それぞれに対して、昇降路の上方から上記両者のそれぞれの基準位置に下げ振り線を吊下する作業を省くことができる。したがって、簡易な作業によって昇降路底面にかご側緩衝器台等のピット部材を容易に所定位置に据付けることができ、据付費を低減する効果がある。
【図面の簡単な説明】
【図１】この発明の実施の形態１を示す図で、昇降路下部を概念的に示す斜視図。
【図２】図１の拡大平面図。
【図３】この発明の実施の形態２を示す図で、昇降路下部の平面図であり前述の図２相当図。
【図４】図３のＡ−Ａ線断面拡大図。
【図５】図４におけるゲージの細部を説明する図。
【符号の説明】
１　昇降路、　　２　底面、　　３　かご側緩衝器台、　　５　下げ振り線、６　機械台、　　７　つり合おもり側緩衝器台、　　１０　連結板、　　１１　係合部、　　１２　第一連結金具、　　１３　第二連結金具、　　１４　ゲージ、　　１５　基板、　　１７　間隔片。
【図１】
2004010328.tif 000003
【図２】
2004010328.tif 000004
【図３】
2004010328.tif 000005
【図４】
2004010328.tif 000006
【図５】
2004010328.tif 000007